(57)【要約】【課題】重要な情報を見逃したり、不完全な情報しか得られないという問題点を解消したテレビ機能付きリモコンを提供することを目的とする。【解決手段】１）同一パネルにリモコン制御に関する画面とリモコン制御以外の機能を持った画面を分割して同時に表示することを特徴とするテレビ機能付きリモコン。２）上記リモコン機能画面とリモコン機能以外の画面とはそれぞれ独立して画面サイズを変更できるようにしたことを特徴とするテレビ機能付きリモコン。【選択図】図４
2010130120.tif 000002
【特許請求の範囲】
【請求項１】
同一パネルにリモコン制御に関する画面とリモコン制御以外の機能を持った画面を分割して同時に表示することを特徴とするテレビ機能付きリモコン。
【請求項２】
上記リモコン機能画面とリモコン機能以外の画面とは、それぞれ表示位置を任意に変更できるようにしたことを特徴とする請求項１記載のテレビ機能付きリモコン。
【請求項３】
上記リモコン機能画面とリモコン機能以外の画面とはそれぞれ独立して画面サイズを変更できるようにしたことを特徴とする請求項１記載のテレビ機能付きリモコン。
【請求項４】
上記リモコン機能画面とリモコン機能以外の画面とはそれぞれ単独に全画面表示することを特徴とする請求項１記載のテレビ機能付きリモコン。
【請求項５】
上記リモコン画面は画面の焼き付きを防止するため、一定時間経過後に「表示ＯＦＦ」、「スクロール表示」などの付加的な表示を行なう付加表示制御を備えることを特徴とする請求項１記載のテレビ機能付きリモコン。
【請求項６】
上記リモコン制御に関する音声とリモコン機能以外に関する音声とを出力する手段としてスピーカーを一つだけ設けた機器において、前期リモコン制御に関する音声とリモコン機能以外に関する音声とをミキシングして出力するか、またはどちらか一方の音声のみを出力するかを、任意に選択できるようにしたことを特徴とする請求項１記載のテレビ機能付きリモコン。
【請求項７】
上記リモコン制御に関する音声とリモコン機能以外に関する音声とをミキシングして出力する場合、リモコン制御に関する音声とリモコン機能以外に関する音声との音量バランスを可変できるようにしたことを特徴とする請求項６記載のテレビ機能付きリモコン。
【請求項８】
地上波デジタル放送の緊急警報放送を受信した場合は、その旨を告げる画面を表示するだけでなく、リモコン機能として制御対象機器の作動を停止させるなど制御機能を有したことを特徴とする請求項１記載のテレビ機能付きリモコン。
【発明の詳細な説明】
【技術分野】
【０００１】
この発明は、液晶などの表示部を備え、この表示部に機器のリモコン制御に関する画面を表示するリモコン画面と、この表示部にリモコン制御以外の機能を持った画面、例えばテレビ画像を表示させるテレビ画面とが切り替え自在であるテレビ機能付きリモコンに関する。
【背景技術】
【０００２】
近年、入浴中にテレビ画像を鑑賞したいという要求が高まっており、この要求を受けて、機器であるガス給湯装置やエコ給湯装置の作動を浴室内から制御する浴室用のリモコンに、テレビ画像を表示できる液晶などの画像表示部を備えたものが提案されている。
一般的には、テレビ画像を表示できる液晶などの画像表示部に、リモコン画面とＴＶ画面を切り替えて表示するものとなっている。
【０００３】
このテレビ画像を表示できる液晶などの画像表示部はドットマトリクス式のものであるため、リモコンとして作動する際に表示することが必要な各種制御項目や、これら制御項目に対応した制御内容を画像表示部に表示させることができる（特開２００４−３６９１６号公報、特許文献１参照）。
【０００４】
上記従来のものでは、画像表示部にテレビ画像を表示させている状態で、制御項目である給湯温度を変更する必要が生じた場合には、制御項目である「給湯温度」という文字と共に制御内容である給湯温度の数値と、給湯温度の温度上昇用と温度下降用とのアイコンをテレビ画像に重ねて表示させるように構成されている。
【０００５】
そして、このようにテレビ画像に重ねて表示された設定内容等は、給湯温度の変更操作が終了した場合や１０秒間温度変更の操作がされないと、自動的にテレビ画像から消去され、その後テレビ画像のみが画像表示部に表示されるように構成されている。
【０００６】
また、テレビ機能付リモコンにおいて、リモコン機能により給湯装置を遠隔操作したとき、第１情報のうち給湯装置の作動に関するものを、前記表示手段とは別に表示する補助表示手段を設けるという提案もなされている（特開２００４−２７８９２７号公報、特許文献２参照）。
【０００７】
同様に、テレビ機能付リモコンのうち、リモコン機能を作動させると、各種の制御項目と、各制御項目に対応する制御内容とをリモコン画面として上記画像表示部に表示させるものにおいて、リモコン画面からテレビ画像を表示するテレビ画面に切り替えられた状態で、上記制御内容のうち所定のものをテレビ画面の所定位置に表示させるという提案もなされている（特開２００６−９８０１１号公報、特許文献３参照）。
【特許文献１】特開２００４−３６９１６号公報
【特許文献２】特開２００４−２７８９２７号公報
【特許文献３】特開２００６−９８０１１号公報
【発明の開示】
【発明が解決しようとする課題】
【０００８】
しかしながら上記従来のものでは、例えばリモコン操作に応じて経時的にテレビ画面とリモコン画面とを切り替えるようにした場合、画面表示されていない側のテレビ画面やリモコン画面の重要な情報を見逃してしまう可能性が高い。
【０００９】
また、例えばテレビ画面上に、リモコン制御のための各種制御項目やこの制御項目に対応した制御内容を重ねて表示するようにした場合、テレビ画面上の重要な情報が前記リモコン制御の表示によってかくれてしまって見づらく、不完全な情報しか得られない。
【００１０】
そこでこの発明は、上記の問題点に鑑み、上述のような重要な情報を見逃したり、不完全な情報しか得られないという問題点を解消したテレビ機能付きリモコンを提供することを目的とする。
【課題を解決するための手段】
【００１１】
上記課題を解決するためにこの発明によるテレビ機能付きリモコンは、同一パネルにリモコン制御に関する画面とリモコン制御以外の機能を持った画面を分割して同時に表示することを特徴とする。
【００１２】
またこの発明によるテレビ機能付きリモコンは、上記リモコン機能画面とリモコン機能以外の画面とは、それぞれ表示位置を任意に変更できるようにしたことをも特徴とする。
【００１３】
この発明によるテレビ機能付きリモコンは、上記リモコン機能画面とリモコン機能以外の画面とはそれぞれ独立して画面サイズを変更できるようにしたことをも特徴とする。
【００１４】
この発明によるテレビ機能付きリモコンは、上記リモコン機能画面とリモコン機能以外の画面とはそれぞれ単独に全画面表示することをも特徴とする。
【００１５】
この発明によるテレビ機能付きリモコンは、上記リモコン画面は画面の焼き付きを防止するため、一定時間経過後に「表示ＯＦＦ」「スクロール表示」などの付加的な表示を行なう付加表示制御を備えることをも特徴とする。
【００１６】
この発明によるテレビ機能付きリモコンは、上記リモコン制御に関する音声とリモコン機能以外に関する音声とをミキシングして出力するか、またはどちらか一方の音声のみを出力するかを、任意に選択できるようにしたことをも特徴とする。
【００１７】
この発明によるテレビ機能付きリモコンは、上記リモコン制御に関する音声とリモコン機能以外に関する音声とをミキシングして出力する場合、リモコン制御に関する音声とリモコン機能以外に関する音声との音量バランスを可変できるようにしたことをも特徴とする。
【００１８】
この発明によるテレビ機能付きリモコンは、地上波デジタル放送の緊急警報放送を受信した場合は、その旨を告げる画面を表示するだけでなく、リモコン機能として制御対象機器の作動を停止させるなど制御機能を有したことをも特徴とする。
【発明の効果】
【００１９】
以上の説明から明らかなように、この発明によるテレビ機能付きリモコンは、同一パネルにリモコン制御に関する画面とリモコン制御以外の機能を持った画面を分割して同時に表示することにより、テレビ画面やリモコン画面の重要な情報を見逃してしまうおそれがなく、またテレビ画面上の重要な情報がリモコン制御の表示などによってかくれてしまい、不完全な情報しか得られないという問題点を完全に解消することができる。
【発明を実施するための最良の形態】
【００２０】
以下、図面に基いてこの発明のテレビ機能付きリモコンの実施の形態を説明する。
図１はこの発明のテレビ機能付きリモコンとして風呂リモコンの例を示す正面図、図２はリモコン制御に関する画面を示す拡大正面図、図３はテレビ画面を示す拡大正面図、図４はリモコン制御に関する画面とテレビ画面を分割して同時に表示した場合を示す正面図である。
【００２１】
図１において、１１は浴室に設置される風呂リモコンであり、この風呂リモコン１１が作動を制御する給湯装置に対して有線、または無線などの通信方式で信号を送り、給湯装置の作動を制御することができるようになっている。
【００２２】
前記風呂リモコン１１には左上部に液晶などの表示部１２が設けられており、給湯装置の作動制御に関する複数の制御項目と各制御項目に対応する制御内容からなるリモコン画面がこの表示部１２に表示される。
図において１３は右上部に設けた複数の制御項目に関する切替操作部、１４は下部に設けた各制御項目に対応する制御内容のための調節部である。
【００２３】
前記切替操作部１３には、運転スイッチ３１とテレビスイッチ３２、追いだきスイッチ３３、ふろ自動スイッチ３４、優先スイッチ３５および呼出スイッチ３６が配置されている。
また制御内容のための調節部１４には、蛇口からの給湯温度を制御する給湯温度スイッチ４１、浴槽内の湯温等を制御する制御ブロック４２、テレビ音量を制御する音量スイッチ４３および選局スイッチ４４、テレビ機能の各種設定を変更するための設定スイッチ４５が配置されている。
なお、前記浴槽内の湯温等を制御する制御ブロック４２には、たし湯およびたし水スイッチ４６，４７、ふろ湯量スイッチ４８、ふろ温度スイッチ４９が配置されている。
【００２４】
また、この風呂リモコン１１にはテレビ機能が備えられており、表示部１２の表示をテレビ画面とすることができる。すなわち、地上波等からのテレビ画像を映し出すテレビ画面に表示を切り換えることができる。
前記テレビ機能においては、外部アンテナとテレビ機能部分とをアンテナケーブルで直結することや、離れた場所にある受信機からワイヤレスで送られてくるテレビ画像データやテレビ音声データなどを受信することで、居室用のテレビと同レベルの画質を得ることができる。また、リモコンでの操作で2ヶ国語放送（音声多重）等に対応することもできる。
【００２５】
本実施例では、図１の運転スイッチ３１により電源投入した直後はリモコン全画面が表示されるものとする。
図２は表示部１２の全画面に表示したリモコン画面を示し、図１の運転スイッチ３１を操作（入／切）することにより、該リモコン画面が立ち上げられる。すると、風呂リモコン１１の作動状態はリモコンモードになり、表示部１２に給湯装置の作動制御に関する複数の制御項目と、各制御項目に対応する制御内容とが表示される。
図２のリモコン画面において２１は制御項目表示で、給湯温度が４０℃であり、給湯器からの給湯が優先されることを示している。２２は温度表示で、浴槽の設定湯温が３９℃であることを示している。２３は時刻表示である。
前記リモコン画面は、画面の焼き付きを防止するため、一定時間経過後に「表示ＯＦＦ」、「スクロール表示」などの付加的な表示を行なう付加表示制御を備えていることが望ましい。
【００２６】
本実施例では上記リモコン画面の状態でテレビスイッチ１２を操作すると、テレビ表示モードへ遷移するものとする。
図４は表示部１２がリモコン画面のときにテレビ機能を作動させる場合を示し、図１のテレビスイッチ３２を押して操作（入／切）する。すると、風呂リモコン１１の作動状態はテレビ表示モードになり、表示部１２の表示は分割され、リモコン画面の他にテレビ画面が作成され、テレビ画像が表示されるとともに、図１のスピーカ１５からテレビ音声が発音される。
すなわち、表示部１２を構成する同一パネルに、リモコン制御に関するリモコン画面５１とテレビ画面５２（リモコン制御以外の機能）を分割し、同時に表示されるものである。
スピーカ１５から発音されるテレビ音声の音量は制御内容のための調節部１４における音量スイッチ４３を操作することにより調節することができる。また、選局スイッチ４４を操作することによりチャンネルを変更することができる。
【００２７】
また分割されたリモコン画面において５１は制御項目表示で、給湯温度が４０℃であり、給湯器からの給湯が優先されることを示している。また温度表示や浴槽の設定湯温、時刻表示なども備えている。
このリモコン画面においても、画面の焼き付きを防止するため、一定時間経過後に「表示ＯＦＦ」、「スクロール表示」などの付加的な表示を行なう付加表示制御を備えていることが望ましい。
【００２８】
上記テレビ機能に関する各設定項目を変更するには、設定スイッチ45を押しテレビ画面にテレビ設定画面を起動させることで実現できる。各設定項目の選択は選局スイッチ44で選択でき、選択スイッチ45で決定動作を行う、などの操作が考えられる。
選択できる機能項目としては、
・  輝度調整
・  色合い調整
・  画面位置設定
・  画面サイズ設定
・  チャンネル設定
・  音声ミキシング
・  音声ミキシングバランス
などの項目が考えられる。
【００２９】
上記リモコン画面５１とテレビ画面５２（リモコン制御以外の機能）とは、それぞれ表示位置を任意に変更できるようになっている。この場合は、上記テレビ機能設定画面の中で「画面位置設定」項目を選局スイッチ44で選択し、選択スイッチ45で決定後、選局スイッチ44で位置を調整し、選択スイッチ45で決定動作を行うなどの操作が考えられる。
【００３０】
また、上記リモコン画面５１とテレビ画面５２（リモコン制御以外の機能）とはそれぞれ独立して画面サイズを変更できるようになっている。この場合も同様にテレビ機能選択画面で「画面サイズ設定」項目を選局スイッチ44で選択し、選択スイッチ45で決定後、選局スイッチ44で画面サイズを調整し、選択スイッチ45で画面サイズの決定動作を行うといった操作が考えられる。
【００３１】
図１のスピーカ１５においては、前記リモコン制御に関する音声とテレビ画面の音声とをミキシングして出力するか、またはどちらか一方の音声のみを出力するかを、任意に選択できるようになっている。
この選択も設定スイッチ45により起動する機能設定画面の中で同様の操作で設定できるものである。
ミキシング時の音量バランスも、機能設定画面の中で同様の操作で設定できるものである。
【００３２】
本発明ではリモコン画面とテレビ画面とは、それぞれ単独に表示部１２に全画面表示することも可能としている。
本実施例におけるリモコン全画面表示については、先の［００２５］において説明を記載したが、テレビ全画面表示モードについて下記に説明を記載する。
本実施例ではテレビ表示モードにおいて、再度テレビスイッチ１２を操作するとテレビ全画面表示モードに遷移するものとする。
以降、テレビスイッチ１２を操作する都度、テレビ表示モードとテレビ全画面表示モードとを排他的に切り替えるものとなっている。
図３は表示部１２の全画面に表示したテレビ画面を示している。
すなわち、表示部１２にテレビ機能を作動させるには、図１のテレビスイッチ３２を押して操作（入／切）する。すると、風呂リモコン１１の作動状態はテレビ全画面モードになり、表示部１２の表示はテレビ画面が作成されテレビ画像が表示されるとともに、図１のスピーカ１５からテレビ音声が発音される。
スピーカ１５から発音されるテレビ音声の音量は制御内容のための調節部１４における音量スイッチ４３を操作することにより調節することができる。また、選局スイッチ４４を操作することによりチャンネルを変更することができる。
【００３３】
図３のように表示部１２の全画面がテレビ画面の場合、前記リモコン画面の表示はテレビ画面下部において重なるよう表示される。
すなわち、給湯温度が４０℃であり給湯器からの給湯が優先されることと、浴槽の設定湯温が３９℃であること、また時刻が午後６時であることを示している。
このように、リモコン画面からテレビ画面に切り換えられても、図３に示すように給湯温度とふろ温度に関する制御内容を表示部１２の右下隅に表示し続けるようになっている。
もちろん、テレビ画面に切り換えられた状態で続けて表示される制御内容の表示位置は、右下隅に限定されず、使用者の好みによって他の位置に変更するように構成されている。また、表示の大きさや表示色、透明度など、使用者の好みに応じて変更できるように構成されている。
【００３４】
なお、テレビ全画面表示モードにおいても、リモコン機能の操作によってはリモコン機能に関する音声が発音される場合がある。この場合も、リモコン制御に関する音声とテレビ画面の音声とをミキシングして出力するか、またはどちらか一方の音声のみを出力するかを、任意に選択できるようになっている。
この選択も設定スイッチ４５により起動する機能設定画面の中で同様の操作で設定できるものである。
また、リモコン制御に関する音声とテレビ画面の音声との音量バランスを変更する場合も設定スイッチ４５により起動する機能設定画面の中で設定できるものである。
【００３５】
前記表示部１２がテレビ画面であるか否かにかかわらず、地上波デジタル放送の緊急警報放送を受信した場合には、その旨を告げる情報を表示部１２に表示するだけでなく、リモコン機能として制御対象機器の作動を自動的に停止させるなど、給湯器などの制御機器への制御機能をもリモコン画面５１を介して持たせることができる。
したがって風呂リモコン１１の使用者は、制御対象機器の作動を停止させるなどの給湯器などの制御を、緊急時にもあわてることなく行うことができる。
【産業上の利用可能性】
【００３６】
なお、この発明は上記した形態に限定されるものではなく、この発明の要旨を逸脱しない範囲内において種々の変更を加えることができる。
【図面の簡単な説明】
【００３７】
【図１】この発明のテレビ機能付きリモコンとして風呂リモコンの例を示す正面図である。
【図２】リモコン制御に関する画面を示す拡大正面図である。
【図３】テレビ画面を示す拡大正面図である。
【図４】リモコン制御に関する画面とテレビ画面を分割して同時に表示した場合を示す正面図である。
【符号の説明】
【００３８】
１１  風呂リモコン
１２  表示部
１３  切替操作部
１４  調節部
１５  スピーカ
２１  制御項目表示
２２  温度表示
２３  時刻表示
３１  運転スイッチ
３２  テレビスイッチ
３３  追いだきスイッチ
３４  ふろ自動スイッチ
３５  優先スイッチ
３６  呼出スイッチ
４１  給湯温度スイッチ
４２  制御ブロック
４３  音量スイッチ
４４  選局スイッチ
４５  設定スイッチ
４６  たし湯スイッチ
４７  たし水スイッチ
４８  ふろ湯量スイッチ
４９  ふろ温度スイッチ
５１  リモコン画面
５２  テレビ画面
【図１】
2010130120.tif 000003
【図２】
2010130120.tif 000004
【図３】
2010130120.tif 000005
【図４】
2010130120.tif 000006